(57)【特許請求の範囲】
【請求項１】
静磁場空間に置かれた被検体に高周波を照射する照射手段と、前記被検体から放出される核磁気共鳴信号を受信する受信手段と、受信した前記核磁気共鳴信号に処理を加えて前記被検体の断層画像を再構成する処理手段と、を備える磁気共鳴イメージング装置において、
前記照射手段と前記受信手段の撮像視野内における三次元感度画像データを予め計測する補助計測手段と、
前記処理手段は、所定のスライス幅を有する撮像領域についての前記被検体の撮像画像を取得する本計測手段と、
前記撮像領域を３次元的に複数に分割して得られるブロック毎の前記照射手段および受信手段の感度画像データに基づいて、前記受信手段が有する感度不均一に起因する前記撮像画像の輝度不均一を補正する補正手段を有し、
前記補正手段は、前記送信手段の三次元感度画像データの内の前記ブロック毎のデータに基づいて前記撮像領域についての第１の二次元感度画像と、前記受信手段の三次元感度画像データの内の前記ブロック毎のデータに基づいて前記撮像領域についての第２の二次元感度画像とを作成することを特徴とする磁気共鳴イメージング装置。
【請求項２】
請求項１に記載の磁気共鳴イメージング装置において、
前記受信手段が有する感度不均一に起因する画像の輝度不均一補正は、前記第２の二次元感度画像を、前記第１の二次元感度画像で除算処理したデータに基づいて行われることを特徴とする磁気共鳴イメージング装置。
【請求項３】
請求項１に記載の磁気共鳴イメージング装置において、
前記被検体の撮像画像を取得する際に、前記撮像画像の３次元的な位置情報およびスライス幅情報を取得することを特徴とする磁気共鳴イメージング装置。
【請求項４】
請求項１に記載の磁気共鳴イメージング装置において、
前記処理手段は、前記スライス幅方向に分割されたブロック毎の感度画像データを平均化処理して前記第１及び第２の二次元感度画像を算出することを特徴とする磁気共鳴イメージング装置。
【請求項５】
請求項１に記載の磁気共鳴イメージング装置において、
前記処理手段は、前記スライス幅方向に分割されたブロック毎の感度画像データの最大値を用いて前記第１及び第２の二次元感度画像を算出することを特徴とする磁気共鳴イメージング装置。
【請求項６】
静磁場空間に置かれた被検体に高周波を照射する照射手段と、前記被検体から放出される核磁気共鳴信号を受信する受信手段と、受信した前記核磁気共鳴信号に処理を加えて前記被検体の断層画像を再構成する処理手段と、を備える磁気共鳴イメージング装置の画像補正方法において、
前記照射手段と前記受信手段の撮像視野内における三次元感度画像データを予め計測する補助計測ステップを有し、
前記処理手段は、所定のスライス幅を有する撮像領域についての前記被検体の撮像画像を取得する本計測ステップと、
前記撮像領域を３次元的に複数に分割して得られるブロック毎の前記照射手段および受信手段の感度画像データに基づいて、前記受信手段が有する感度不均一に起因する前記撮像画像の輝度不均一を補正する補正ステップとを実行し、
前記補正ステップは、前記送信手段の三次元感度画像データの内の前記ブロック毎のデータに基づいて前記撮像領域についての第１の二次元感度画像と、前記受信手段の三次元感度画像データの内の前記ブロック毎のデータに基づいて前記撮像領域についての第２の二次元感度画像とを作成することを特徴とする磁気共鳴イメージング装置の画像補正方法。
【請求項７】
請求項６に記載の磁気共鳴イメージング装置の画像補正方法において、
前記受信手段が有する感度不均一に起因する画像の輝度不均一補正は、前記第２の二次元感度画像を、前記第１の二次元感度画像で除算処理したデータに基づいて行われることを特徴とする磁気共鳴イメージング装置の画像補正方法。
【請求項８】
請求項６に記載の磁気共鳴イメージング装置の画像補正方法において、
前記被検体の撮像画像を取得する際に、前記撮像画像の３次元的な位置情報およびスライス幅情報を取得することを特徴とする磁気共鳴イメージング装置の画像補正方法。
【請求項９】
請求項６に記載の磁気共鳴イメージング装置の画像補正方法において、
前記処理手段は、前記スライス幅方向に分割されたブロック毎の感度画像データを平均化処理して前記第１及び第２の二次元感度画像を算出することを特徴とする磁気共鳴イメージング装置の画像補正方法。
【請求項１０】
請求項６に記載の磁気共鳴イメージング装置の画像補正方法において、
前記処理手段は、前記スライス幅方向に分割されたブロック毎の感度画像データの最大値を用いて前記第１及び第２の二次元感度画像を算出することを特徴とする磁気共鳴イメージング装置の画像補正方法。
【発明の詳細な説明】
【技術分野】
【０００１】
本発明は、被検体中の水素や燐等からの核磁気共鳴（以下、「ＮＭＲ」という）信号を測定し、核の密度分布や緩和時間分布等を画像化する核磁気共鳴イメージング（以下、「ＭＲＩ」という）装置に関し、特に受信に使用するＲＦコイルの感度画像データに起因する画像の輝度不均一を補正する技術に関する。
【背景技術】
【０００２】
ＭＲＩ装置は、被検体、特に人体の組織を構成する原子核スピンが発生するＮＭＲ信号を計測し、その頭部、腹部、四肢等の形態や機能を２次元的に或いは３次元的に画像化する装置である。撮像においては、ＮＭＲ信号には、傾斜磁場によって異なる位相エンコードが付与されるとともに周波数エンコードされて、時系列データとして計測される。計測されたＮＭＲ信号は、２次元又は３次元フーリエ変換されることにより画像に再構成される。
【０００３】
近年では複数のＲＦ受信コイルを有してなるマルチプルコイルを用いて、ＲＦ受信コイル毎に得られた複数の断層画像を合成して合成画像を取得することにより、目的の画像を得ることが行われている。この手法は、高いＳ／Ｎ比を有する合成画像を取得できる利点があるものの、各ＲＦ受信コイルの感度不均一性が合成画像に反映されてしまい、輝度の不均一な合成画像が取得されてしまうことがある。
【０００４】
合成画像における輝度不均一を補正する技術として、ＲＦ受信コイルの感度画像データを算出し、その感度画像データを用いて補正係数データを算出し、この補正係数データを用いて合成画像の輝度不均一を補正する技術がある。
【０００５】
ＲＦ受信コイルの感度画像データを算出する方法の一例としては、均一な感度画像データを持つ全身用ＲＦコイルを用いて取得された画像に対するＲＦ受信コイルを用いて得られた画像の比から、ＲＦ受信コイルの感度画像データを算出する手法(特許文献１)、ＲＦ受信コイルの低周波成分を近似的にＲＦ受信コイルの感度画像データとみなす手法(特許文献２)、均一なファントムをあらかじめ撮像し、その断層画像を感度画像データとみなす方法(特許文献３)、磁場解析手法により数値演算にてＲＦ受信コイルの感度画像データを算出する手法(非特許文献１)がある。
【先行技術文献】
【特許文献】
【０００６】
【特許文献１】特開平８−５６９２８号公報
【特許文献２】特開２００２−２７２７０５号公報
【特許文献３】特開平７−５９７５０号公報
【非特許文献】
【０００７】
【非特許文献１】ISMRM 1405, 1999 DF Kacher, et al
【発明の概要】
【発明が解決しようとする課題】
【０００８】
しかし、上述した従来技術においては、ＲＦ受信コイルの感度画像データの輝度不均一を補正する際に、スライス面内に対する考慮はされているが、ＭＲＩ画像のスライス厚内部に対しては考慮されておらず、ここに急激な感度分布の変化があったとしてもそれを無視した状態で輝度不均一の補正を行う。また、血管描出などに用いられる３Ｄ  ＴＯＦ(Time of Flight)技術においても、正確に血管がある位置の感度分布を捕らえきれない。
【０００９】
そこで、本発明の目的は、ＭＲＩ画像のスライス厚内部を考慮した、すなわち厚いスライスでも、画像の輝度不均一補正を行うことができる技術を提供することである。なお、厚いスライスの説明は、第１の実施形態で後述する。
【課題を解決するための手段】
【００１０】
上記目的を達成するために、本発明の磁気共鳴イメージング装置の主要な構成は、以下のようになる。
【００１１】
静磁場空間に置かれた被検体に高周波を照射する照射手段と、被検体から放出される核磁気共鳴信号を受信する受信手段と、受信した核磁気共鳴信号に処理を加えて被検体の断層画像を再構成する処理手段と、を備える磁気共鳴イメージング装置において、照射手段と受信手段の撮像視野内における三次元感度画像データを予め計測する補助計測手段と、処理手段は、所定のスライス幅を有する撮像領域についての被検体の撮像画像を取得する本計測手段と、撮像領域を３次元的に複数に分割して得られるブロック毎の照射手段および受信手段の感度画像データに基づいて、受信手段が有する感度不均一に起因する撮像画像の輝度不均一を補正することを特徴とする。
【００１２】
即ち、本計測位置決めを行った際に補正対象となる画像のスライス厚および３次元位置座標情報を得、その情報を元に感度計測画像から最適な画像データを画素ごとに取得し、そのデータから正確な感度画像データを算出する。
【発明の効果】
【００１３】
本発明によれば、厚いスライス幅で撮像されたＭＲＩ画像データであっても、正確な輝度不均一補正が行える。
【図面の簡単な説明】
【００１４】
【図１】本発明に係るＭＲＩ装置の全体基本構成を示すブロック図。
【図２Ａ】ａ）は被検体と撮像範囲、ｂ）、ｃ）はそれぞれ、送信コイルを用いた場合および受信コイルを用いた場合の三次元感度画像を示す図である。
【図２Ｂ】ａ）は被検体と撮像視野、ｂ）は本計測断層画像、ｃ）は本計測断層情報を示す図。
【図２Ｃ】ａ）は被検体と撮像視野、ｂ）は厚いスライス幅を用いた場合の三次元感度画像、ｃ）は本計測画像の位置情報から抽出した感度画像を示す図。
【図２Ｄ】ａ）は本計測画像の位置情報から抽出した送信コイルを用いた場合の感度画像、ｂ）は受信コイルを用いた場合の感度画像、ｃ）はａ）、ｂ）で求めた感度画像を用いて求めた感度分布像を示す図。
【図３】第一の実施形態に係る感度補正処理を示すフローチャート。
【図４】ａ）は被検体と撮像視野、ｂ）は厚いスライス幅を用いた場合の三次元感度画像、ｃ）はスライス幅方向に分割された画素ごとの感度の加算平均値を用いて感度補正した断層画像の求め方を示す図。
【図５】第二の実施形態に係る感度補正処理を示すフローチャート。
【図６】ａ）は被検体と撮像視野、ｂ）は厚いスライス幅を用いた場合の三次元感度画像、ｃ）はスライス幅方向に分割された画素ごとの感度の最大値投影を用いて感度補正した断層画像の求め方を示す図。
【図７】第三の実施形態に係る感度補正処理を示すフローチャート。
【発明を実施するための形態】
【００１５】
以下、添付図面に従って本発明のＭＲＩ装置の好ましい実施形態について詳説する。なお、発明の実施形態を説明するための全図において、同一機能を有するものは同一符号を付け、その繰り返しの説明は省略する。
最初に、本発明に係るＭＲＩ装置の一例の全体概要を図１に基づいて説明する。図１は、本発明に係るＭＲＩ装置の一実施例の全体基本構成を示すブロック図である。このＭＲＩ装置は、ＮＭＲ現象を利用して被検体の断層画像を得るもので、図１に示すように、ＭＲＩ装置は静磁場発生系2と、傾斜磁場発生系3と、送信系5と、受信系6と、信号処理系7と、シーケンサ4と、中央処理装置（ＣＰＵ）8と、操作部25とを備えて構成される。
以下に、上述した基本構成のそれぞれについて詳細に説明する。
【００１６】
静磁場発生系2は、垂直磁場方式であれば、被検体1の周りの空間にその体軸と直交する方向に、水平磁場方式であれば、体軸方向に均一な静磁場を発生させるもので、被検体1の周りに永久磁石方式、常電導方式あるいは超電導方式の静磁場発生源が配置されている。
【００１７】
傾斜磁場発生系3は、ＭＲＩ装置の座標系（静止座標系）であるＸ、Ｙ、Ｚの３軸方向に巻かれた傾斜磁場コイル9と、それぞれの傾斜磁場コイルを駆動する傾斜磁場電源10とから成り、後述のシ−ケンサ4からの命令に従ってそれぞれのコイルの傾斜磁場電源10を駆動することにより、Ｘ、Ｙ、Ｚの３軸方向に傾斜磁場Gx，Gy，Gzを印加する。撮影時には、スライス面（撮影断面）に直交する方向にスライス方向傾斜磁場パルス（Gs）を印加して被検体1に対するスライス面を設定し、そのスライス面に直交して且つ互いに直交する残りの２つの方向に位相エンコード方向傾斜磁場パルス（Gp）と周波数エンコード方向傾斜磁場パルス（Gf）を印加して、エコー信号にそれぞれの方向の位置情報をエンコードする。
【００１８】
シーケンサ4は、高周波磁場パルス（以下、「ＲＦパルス」という）と傾斜磁場パルスをある所定のパルスシーケンスで繰り返し印加する制御手段で、CPU8の制御で動作し、被検体1の断層画像のデータ収集に必要な種々の命令を送信系5、傾斜磁場発生系3、および受信系6に送る。
【００１９】
送信系5は、被検体1の生体組織を構成する原子の原子核スピンに核磁気共鳴を起こさせるために、被検体１にＲＦパルスを照射するもので、高周波発振器11と変調器12と高周波増幅器13と送信側の高周波コイル（送信コイル）14aとから成る。高周波発振器11から出力された高周波パルスをシーケンサ4からの指令によるタイミングで変調器12により振幅変調し、この振幅変調された高周波パルスを高周波増幅器13で増幅した後に、被検体1に近接して配置された高周波コイル14aに供給することにより、ＲＦパルスが被検体1に照射される。
【００２０】
受信系6は、被検体1の生体組織を構成する原子核スピンの核磁気共鳴により放出されるエコー信号（ＮＭＲ信号）を検出するもので、受信側の高周波コイル（受信コイル）14bと信号増幅器15と直交位相検波器16と、Ａ／Ｄ変換器１７とから成る。送信側の高周波コイル１４ａから照射された電磁波によって誘起された被検体1の応答のＮＭＲ信号が被検体１に近接して配置された高周波コイル14bで検出され、信号増幅器15で増幅された後、シーケンサ4からの指令によるタイミングで直交位相検波器16により直交する二系統の信号に分割され、それぞれがＡ／Ｄ変換器17でディジタル量に変換されて、信号処理系7に送られる。
【００２１】
信号処理系７は、各種データ処理と処理結果の表示及び保存等を行うもので、光ディスク19、磁気ディスク18等の外部記憶装置と、ＣＲＴ等からなるディスプレイ20とを有し、受信系6からのデータがＣＰＵ8に入力されると、ＣＰＵ8が信号処理、画像再構成等の処理を実行し、その結果である被検体1の断層画像をディスプレイ20に表示すると共に、外部記憶装置の磁気ディスク18等に記録する。
【００２２】
操作部25は、ＭＲＩ装置の各種制御情報や上記信号処理系7で行う処理の制御情報を入力するもので、トラックボール又はマウス23、及び、キーボード24から成る。この操作部25はディスプレイ20に近接して配置され、操作者がディスプレイ20を見ながら操作部25を通してインタラクティブにＭＲＩ装置の各種処理を制御する。
【００２３】
なお、図１において、送信側の高周波コイル14aと傾斜磁場コイル9は、被検体1が挿入される静磁場発生系2の静磁場空間内に、垂直磁場方式であれば被検体1に対向して、水平磁場方式であれば被検体１を取り囲むようにして設置されている。また、受信側の高周波コイル14bは、被検体1に対向して、或いは取り囲むように設置されている。
【００２４】
現在ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。
＜第１の実施形態＞
本発明の第１の実施形態について図２Ａ〜２Ｄを用いて説明する。
【００２５】
まず、通常の撮影と同様に感度分布計測を行う(図２Ａ)。
図２Ａのａ）〜ｃ）は、本計測（本スキャン）を開始する前の予備計測（予備スキャン）を説明する図である。ａ）は被検体1と撮像視野（FOV）35を示す。すなわち、撮像視野35は、予備スキャンのスキャン範囲を示している。ｂ）で示す画像は、送信コイル14aを用いて受信した場合の三次元感度画像である。本図で示すように、ｃ）で示す場合に比べて感度分布が均一なために画像の輝度の濃淡は少ない。ここで、輝度の濃淡が少ない理由は、送信コイル14aは被検体31の広い範囲をカバーする様に径や軸長を大きく構成されているためである。
【００２６】
一方、ｃ）で示す画像は、受信コイル14bを用いて受信した場合の三次元感度画像である。図中のＡで示す領域は、ｂ）で示す場合に比べて感度分布が不均一なため画像の輝度に濃淡が生じていることが分かる。すなわち、胴体34の表面付近に比べて内部へ進むに従い、輝度が低く（暗く）なっていることを示している。この理由は、受信コイルは、被検体31の所望部位の近傍に配置される様に径や軸長を小さく構成されているためである。なお、ｂ）およびｃ）において、符号34は被検体31の胴体部を、符号32,33はその両腕をそれぞれ摸式的に示している。
【００２７】
次に、本計測（本スキャン）を行う。この時に、スライス面内およびスライス面幅方向における本計測断層画像情報、すなわち三次元位置情報およびスライス厚を取得する(図２Ｂ)。
【００２８】
本実施の形態では、スライス幅36を通常用いられている幅より広くなるように設定し、厚いスライス幅（又は、スラブ）を用いる。例えば、５０乃至７０ｍｍ程度のスライス幅とする。ここで、「厚いスライス幅」とは、従来用いられているスライス幅より、広いものを指し、例えば、約１桁程度の広い幅を指すものとする。ｂ）は、本スキャンで得られた本計測断層画像37を示す。ｃ）は、被検体1の診断領域に対して上記のスライス幅36でスキャンを行い、取得した画像データのスライス面およびスライス面幅方向の三次元位置座標と、スライス厚の取得を示し、取得したこれらのデータは、外部記憶装置の磁気ディスク18などに保存される。
ここで、符号32,33は腕を、符号34は胴体部を、符号38は内蔵の一部をそれぞれ示す。
【００２９】
次に、スライス厚が一定以上の場合、面内画素の三次元位置情報に基づき、感度分布計測で得られたデータから画素毎に感度画像データを抽出する(図２Ｃ)。ここで、画素は、図２Ｃのｂ）で示すように１スライス39をＸ、ＹおよびＺ方向に分割した各ブロックに対応するものとする。
【００３０】
図２Ｂで示す本スキャンで取得した診断領域のスライス幅36が、一定以上に広い場合は、
外部記憶装置の磁気ディスク18などに保存された各スライス面内画素の三次元位置座標の情報を基にして、図２Ｃのｂ）に示すように１スライス39をスライス幅方向（図中ｚ方向）およびそれと交わる方向（ｘ，ｙ方向）に分割し細分化したブロック毎の画素40a,40b,40cを求める。なお、図示の都合上、画素は、40a-40cを代表として記載しているが、ｘ方向およびｙ方向へ同様に細分化して画素を求める。
【００３１】
一方、上述した各画素40a-40cを対応する感度分布を、図２Ａで求めた三次元感度画像ｂ）を用いて、本計測断層画像37の各画素ごとの感度分布を求め、本計測断層画像の感度計測分布画像を求める（図２Ｃのｃ）を参照）。
【００３２】
なお、図２Ｃのｃ）で示す本計測断層画像の感度分布は、図２Ｃのｂ）において、例えば、画素40a,40b,40cの中で、MIP法（最大値投影法）を用いて画像の輝度が一番高いもの（本図では、“（１）”で示す）を代表値として抽出してそれを本計測断層画像における当該ブロックに対応する位置の感度として採用する。抽出された代表値をｃ）に示す感度画像の“（１）”で示す画素の位置に対応させる。Ｘ方向に隣接する画素に対しても同様な抽出方法を行う（図中、“（２）”乃至“（４）”で示す）。さらに、Ｙ方向の画素に対しても同様な抽出を行う。このような手順により、図２Ｃのｃ）に示す送信コイルを用いた感度分布像を求める。
【００３３】
三次元感度画像、図２Ａのｃ）に対しても、上述の手順を適用して、受信コイルを用いた感度分布像を求める。
【００３４】
最後に、抽出された送信コイル（図２Ｄのａ））および受信コイル（図２Ｄのｂ））を用いた感度分布像に除算処理を施して、送信コイルを基準とする感度分布像（図２Ｄのｃ））を求め (図２Ｄ)、求めた感度分布像を用いて感度補正処理を行う。
【００３５】
求めた送信コイルを基準とする感度分布像を、感度補正処理の基礎データとする。
なお、この感度補正処理は、通常、この分野で行われているものである。例えば、コイルの感度分布により生じるシェーディングを補正するために感度分布像に従って、画像の信号値を修正する機能である。
【００３６】
次に、図３を用いて第１の実施形態で示す感度補正処理のフローについて説明する。
１）ステップ301(S301)にて、通常の撮影と同様に感度分布計測を行い、被写体画像（被検体の三次元感度画像）を取得する。（図２Ａ参照）
２）ステップ302(S302)にて、本計測の位置情報から、本計測画像面内のすべての画素の三次元情報を取得する。（図２Ｂ参照）
３）ステップ303(S303)にて、通常の撮影と同様に本計測を行い、被写体画像（被検体の本計測断層画像）を取得する。（図２Ｃ参照）
一方、ステップ303を行っている間に、ステップ304および305の処理を行う。
２’）ステップ304(S304)にて、ステップ302で得られた位置情報から感度画像データの抽出を行う。（図２Ｄのａ）、ｂ）参照）
３’）ステップ305(S305)にて、抽出されたデータより感度分布像の作成を行う。（図２Ｄのｃ）参照）
４）ステップ305以降は通常の感度補正処理と同じである。
【００３７】
なお、上記の各ステップは、図１で示すＣＰＵ8で演算や制御が行われ、取得された画像データなどは、外部記憶装置の磁気ディスク18などに保存される。
【００３８】
本実施の形態により、ＭＲＩ画像のスライス厚内部に対しても考慮され、ここに急激な感度分布の変化があったとしてもそれを無視することなく、輝度不均一補正を行うことができる。従って、本方法により、例えば、血管描出などに用いられる３Ｄ  ＴＯＦ(Time of Flight)技術により、正確に血管がある位置の感度分布を捕ら得ることができる。
＜第２の実施形態＞
次に、第２の実施形態について図４を用いて説明する。第１の実施形態と異なる点は、本計測画像の位置情報から感度画像データの抽出を行うのではなく、本計測のスライス断層分の感度画像データを取り出し、その後にスライス方向（図中のＺ方向）へ等分割して平均し、補正に用いる感度画像データ作成を行う点である。以下、異なる箇所のみ説明し、同じ箇所の説明は省略する。
【００３９】
本計測のスライス厚情報および位置情報から三次元感度画像データの内から該当するスライス断層像分のデータを取り出し、スライス方向（図中のＺ方向）に等間隔で分割する。その後等間隔で分割した感度画像データを平均し、そのデータから感度分布像を作成する（図４）。
その後は通常の感度補正処理と同じである。
【００４０】
次に、第２の実施形態で示す感度補正処理のフローについて図５を用いて説明する。以下、図３で示す感度補正処理のフローと異なる箇所のみ説明し、同じ箇所の説明は省略する。
ステップ306(S306)にて、ステップ302で得られた位置情報およびスライス厚情報から、スライス方向感度分布データを取り出す。
ステップ307(S307)にて、ステップ306で取り出されたデータをスライス方向に等分し、平均した後に感度分布像の作成を行う。
＜第３の実施形態＞
次に、第３の実施形態について、図６を用いて説明する。第２の実施形態と異なる点は、スライス方向（図中のＺ方向）へ等分割して平均するのではなく、最大値投影(MIP法：Maximum Intensity Projection)をスライス方向（図中のＺ方向）に行い、補正に用いる感度画像データ作成を行う点である。ここで、MIP法とは、三次元的に構築されたデータに対し任意の視点方向に投影処理を行い、投影経路中の最大値を投影面に表示する手法である。本実施形態では、視点方向は図中のＺ方向としている。
【００４１】
以下、異なる箇所のみ説明し、同じ箇所の説明は省略する。
本計測のスライス厚情報および位置情報に基づいて三次元感度画像データの内から該当するスライス断層像分のデータを取り出し、スライス方向に等間隔で分割する。その後等間隔で分割した感度画像データを最大値投影し、そのデータから感度分布像を作成する（図６）。
【００４２】
次に、第３の実施形態で示す感度補正処理のフローについて図７を用いて説明する。以下、図５で示す感度補正処理のフローと異なる箇所のみ説明し、同じ箇所の説明は省略する。
ステップ308(S308)にて、ステップ306で取り出されたデータをスライス方向に最大値投影し、そのデータから感度分布像の作成を行う。
【符号の説明】
【００４３】
１…被検体、２…静磁場発生系、３…傾斜磁場発生系、４…シーケンサ、５…送信系、６…受信系、７…信号処理系、８…中央処理装置（ＣＰＵ）、９…傾斜磁場コイル、１０…傾斜磁場電源、１１…高周波発信器、１２…変調器、１３…高周波増幅器、１４ａ…高周波コイル（送信コイル）、１４b…高周波コイル（受信コイル）、１５…信号増幅器、１６…直交位相検波器、１７…Ａ／Ｄ変換器、１８…磁気ディスク、１９…光ディスク、２０…ディスプレイ、２１…ＲＯＭ、２２…ＲＡＭ、２３…トラックボール又はマウス、２４…キーボード、２５…操作部、３１…被検体、３２,３３…腕、３４…胴体部、３５…撮像視野、３６…スライス幅、３７…本計測断層画像、３８…内蔵、３９…１スライス、４０ａ,４０ｂ,４０ｃ…ブロック毎の画素。
【図１】
0005638324.tif 000002
【図２Ａ】
0005638324.tif 000003
【図２Ｂ】
0005638324.tif 000004
【図２Ｃ】
0005638324.tif 000005
【図２Ｄ】
0005638324.tif 000006
【図３】
0005638324.tif 000007
【図４】
0005638324.tif 000008
【図５】
0005638324.tif 000009
【図６】
0005638324.tif 000010
【図７】
0005638324.tif 000011